(57)【要約】【課題】新聞折り込みチラシ等のチラシ類を見る一般消費者とそのチラシ類の広告主との双方に有益なシステムを提供する。【解決手段】チラシ類の最終到着ポイントである一般家庭の中から選ばれた複数のモニター家庭に情報提供端末４を設置し、その情報提供端末４の情報入力手段とアップロード機能により、モニター家庭に配布されるチラシ類の情報がインターネット１を介して情報管理サーバー２側へ毎日または定期的にアップロードされてデータベース３に蓄積されるものとする。また、情報管理サーバー２にはアップロードされたチラシ類の情報の中から同種のデータを収集、集計しチラシ統計データを作成する統計機能が設けられ、その作成したチラシ統計データもデータベース３に蓄積されるものとする。【選択図】  図２
2004192454.tif 000002
【特許請求の範囲】
【請求項１】
インターネット等の公衆通信網に接続される情報管理サーバーと、
上記情報管理サーバーが管理するデータベースと、
上記公衆通信網を介して上記情報管理サーバーにアクセス可能な情報提供端末とを具備し、
上記情報提供端末は、チラシ類の最終到着ポイントである一般家庭の中から選ばれた複数のモニター家庭に設置されるとともに、そのモニター家庭に配布されるチラシ類の情報を入力する情報入力手段と、この情報入力手段を介して入力されたチラシ類の情報を、上記公衆通信網を介して上記情報管理サーバー側へ毎日または定期的にアップロードするアップロード機能とを有し、
上記情報管理サーバーは、上記複数のモニター家庭に設置された各情報提供端末側から毎日または定期的にアップロードされるチラシ類の情報を受付け、この受付けた複数のチラシ類の情報中から各チラシ類の情報に共通する同種のデータを収集、集計してチラシ統計データを作成する統計機能を有し、
上記データベースは、上記情報管理サーバーで受付けた上記チラシ類の情報と上記情報管理サーバーで作成された上記チラシ統計データを蓄積してなることを特徴とする電子チラシ情報公開システム。
【請求項２】
上記チラシ類の配布地域全体を網羅する形で複数のグループに区分し、この区分したグループごとに、少なくとも１軒のモニター家庭が設定され、該モニター家庭に上記情報提供端末が設置されてなることを特徴とする請求項１に記載の電子チラシ情報公開システム。
【請求項３】
上記複数のグループの１グループ単位は新聞配達所の担当範囲であることを特徴とする請求項１に記載の電子チラシ情報公開システム。
【請求項４】
上記チラシ類には、新聞と一緒に一般家庭に配布され到達する新聞折り込みチラシと、ダイレクトメールまたはポスティングといった配布形態で一般家庭に直接配布され到達するチラシが含まれることを特徴とする請求項１に記載の電子チラシ情報公開システム。
【請求項５】
上記情報提供端末に入力するチラシ類の情報と、上記情報提供端末から上記情報管理サーバー側へアップロードするチラシ類の情報と、上記情報管理サーバーが受付けるチラシ類の情報には、それぞれチラシ類全体をイメージスキャナ等の画像取り込み手段を用いて取り込んだチラシ画像と、チラシ類を提供する業者の業種、チラシ類のサイズ、色数、折り込み年月日、その他のチラシ関連情報が含まれることを特徴とする請求項１に記載の電子チラシ情報公開システム。
【発明の詳細な説明】
【０００１】
【発明の属する技術分野】
本発明は、新聞折り込みチラシ等のチラシ類を見る一般消費者とそのチラシ類の広告主との双方に有益なシステム、例えば、一般消費者においては、その居住地以外の各地一般家庭に配布されるあらゆるチラシ類の情報を漏れなく全数リアルタイムで閲覧でき、チラシ類の広告主においては、チラシ類を用いた宣伝戦略やマーケティング戦略を立てる上で重要な情報ないしはツールをリアルタイムで取得しうる、電子チラシ情報公開システムに関する。
【０００２】
【従来の技術】
一般家庭に配布され到達する宣伝広告紙（以下、チラシという。）のうち、特に新聞と一緒に一般家庭に配布され到達するチラシ、いわゆる新聞折り込みチラシは有益な地域的情報媒体として一般家庭に浸透し利用されているが、その地域情報という新聞折り込みチラシの特質上、新聞折り込みチラシの配布範囲はあまり広くない。このため、新聞折り込みチラシの配布地区に知り合いがいる等、特別の事情がない限り、自己の居住地以外の各地一般家庭に配布される新聞折り込みチラシそのものを通常直接目にすることは殆どない。
【０００３】
ところで、例えば、遠隔地から特定の地域の不動産情報を取得しようとする際は、市販の不動産関係雑誌よりも、その特定の地域に密着した新聞折り込みチラシの方が有力な情報源となる場合もある。このような新聞折り込みチラシの有用性に着目し、遠隔地からでは通常直接見ることのできない新聞折り込みチラシの情報をインターネットで閲覧しうるシステムが従来から提供されている（例えば、特許文献１参照。）。
【０００４】
しかし、従来のシステムによると、チラシ情報会社から提供されるチラシの情報をデータベースに格納し、このデータベースに格納されたチラシの情報を一般消費者が閲覧しうるという構成を採る。このため、量的および質的にもかなり限られたチラシの情報しか一般消費者に提供することができず、居住地以外の各地一般家庭に配布されるあらゆるチラシの情報を全数漏れなく一般消費者が閲覧することはできない。すなわち、一般家庭に多数配布されるチラシの中には、チラシ情報会社や広告流通仲介業者すら介さず、直接新聞配達所に持ち込まれたものや、一般家庭にダイレクトメールやポスティングといった配布形態で配布されたもの等があり、このようなチラシ情報会社を介さないチラシの情報は、従来システムではチラシ情報データベースに格納されないから、そのチラシの配布地域以外に住んでいる一般消費者が当該チラシの情報を閲覧することはできないのである。
【０００５】
【特許文献１】
特開２００１−２４３３５７号公報
【０００６】
【発明が解決しようとする課題】
本発明は上記問題点を解決するためになされたものであり、その目的とするところは、新聞折り込みチラシ等のチラシ類を見る一般消費者とそのチラシ類の広告主との双方に有益なシステム、例えば、一般消費者においては、その居住地以外の各地一般家庭に配布されるあらゆるチラシ類の情報を漏れなく全数リアルタイムで閲覧でき、チラシ類の広告主においては、チラシ類を用いた宣伝戦略やマーケティング戦略を立てる上で重要な情報ないしはツールをリアルタイムで取得しうる、電子チラシ情報公開システムを提供することにある。
【０００７】
【課題を解決するための手段】
上記目的を達成するために、本発明は、インターネット等の公衆通信網に接続される情報管理サーバーと、上記情報管理サーバーが管理するデータベースと、上記公衆通信網を介して上記情報管理サーバーにアクセス可能な情報提供端末とを具備し、上記情報提供端末は、チラシ類の最終到着ポイントである一般家庭の中から選ばれた複数のモニター家庭に設置されるとともに、そのモニター家庭に配布されるチラシ類の情報を入力する情報入力手段と、この情報入力手段を介して入力されたチラシ類の情報を、上記公衆通信網を介して上記情報管理サーバー側へ毎日または定期的にアップロードするアップロード機能とを有し、上記情報管理サーバーは、上記複数のモニター家庭に設置された各情報提供端末側から毎日または定期的にアップロードされるチラシ類の情報を受付け、この受付けた複数のチラシ類の情報中から各チラシ類の情報に共通する同種のデータを収集、集計してチラシ統計データを作成する統計機能を有し、上記データベースは、上記情報管理サーバーで受付けた上記チラシ類の情報と上記情報管理サーバーで作成された上記チラシ統計データを蓄積してなることを特徴とするものである。
【０００８】
本発明においては、上記チラシ類の配布地域全体を網羅する形で複数のグループに区分し、この区分したグループごとに、少なくとも１軒のモニター家庭が設定され、該モニター家庭に上記情報提供端末が設置されるシステム構成を採用することができる。
【０００９】
上記複数のグループの１グループ単位は新聞配達所の担当範囲とすることができる。この場合は、新聞配達所の担当範囲ごとに、少なくとも１軒のモニター家庭が設定され、該モニター家庭に上記情報提供端末が設置されるシステム構成となる。
【００１０】
上記チラシ類には、新聞と一緒に一般家庭に配布され到達する新聞折り込みチラシと、ダイレクトメールまたはポスティングといった配布形態で一般家庭に直接配布され到達するチラシが含まれるが、これらに限定されることはない。例えば、地方自治体（都道府県、市町村）の公報と一緒に一般家庭に配布され到達するチラシも上記チラシ類に含まれる。
【００１１】
上記情報提供端末に入力するチラシ類の情報と、上記情報提供端末から上記情報管理サーバー側へアップロードするチラシ類の情報と、上記情報管理サーバーが受付けるチラシ類の情報には、それぞれチラシ類全体をイメージスキャナ等の画像取り込み手段を用いて取り込んだチラシ画像と、チラシ類を提供する業者の業種、チラシ類のサイズ、色数、折り込み年月日、その他のチラシ関連情報が含まれるが、これらに限定されることはない。
【００１２】
ここで、上記チラシ類のサイズとはＡ４、Ｂ５等の用紙サイズを意味する。上記チラシ類の色数とは単色、２色、多色等の印刷色数を意味する。上記チラシ類の折り込み年月日とはチラシが新聞と一緒にモニター家庭に配布され到達した年月日、および新聞という配布媒体を介さず直接チラシがモニター家庭に配布され到達した年月日を意味する。これらの意味は以下の説明でも同様である。
【００１３】
【発明の実施の形態】
以下、本発明に係る電子チラシ情報公開システムの実施形態について図１ないし図５を基に詳細に説明する。
【００１４】
図１は、一般家庭（後述のモニター家庭を含む。）にチラシが配布され到着するまでのチラシ流通ルートと、そのモニター家庭に到着したチラシの情報が一般消費者や本システム利用契約者（会員）に提供されるまでの本実施形態におけるチラシ情報データの流れを示したものである。
【００１５】
この図１には現在判明している４つのチラシ流通ルートＲ１、Ｒ２、Ｒ３、Ｒ４が示されている。これらのチラシ流通ルートの詳細は次の通りである。
【００１６】
第１のチラシ流通ルートＲ１は、チラシの広告主（イ）がチラシの製作と流通を専門会社（印刷会社（ホ）と広告流通仲介業者（へ））に全面委託した場合である。この場合、チラシは、印刷会社（ホ）から広告流通仲介業者（へ）とＡ、Ｂ、Ｃ各地区新聞配達所を経由しモニター家庭（１）、（２）または（３）その他の一般家庭に配達される。
【００１７】
第２のチラシ流通ルートＲ２は、チラシの広告主（ロ）が自社でチラシを作成し、そのチラシの流通のみを専門会社（広告流通仲介業者（ト））に委託した場合である。この場合、チラシは、広告流通仲介業者（ト）からＡ、Ｂ、Ｃ各地区新聞配達所を経由してモニター家庭（１）、（２）または（３）その他の一般家庭に配達される。
【００１８】
第３のチラシ流通ルートＲ３は、チラシの広告主が各自でＡ、Ｂ、Ｃ各地区新聞配達所にチラシを持ち込み、かつ、一般家庭（１）、（２）または（３）へのチラシの配達を直接そのＡ、Ｂ、Ｃ各地区新聞配達所に依頼する場合である。この場合、チラシは各地区の新聞配達所（Ａ）、（Ｂ）または（Ｃ）からモニター家庭（１）、（２）または（３）その他の一般家庭に配達される。
【００１９】
第４の流通ルートＲ４は、ダイレクトメールまたはポスティングといった配布形態で、チラシの広告主が直接一般家庭（１）、（２）または（３）にチラシを配布する場合である。この場合は、Ａ、Ｂ、Ｃ各地区新聞配達所さえ介することなく、モニター家庭（１）、（２）または（３）その他の一般家庭にチラシが直接配達される。
【００２０】
上記のような第１、第２および第３のチラシ流通ルートＲ１〜Ｒ３を介するチラシは、いずれも新聞折り込みチラシ、すなわち新聞配達所から一般家庭に新聞と一緒に配布され到達するチラシである。これに対し、上記第４の流通ルートＲ４を介するチラシは、ダイレクトメールまたはポスティング等の配布形態のように新聞を配布媒体とせずダイレクトに一般家庭に配布され到達するチラシであるが、本実施形態における以下の「チラシ類」とは、上記第１ないし第４の流通ルートＲ１〜Ｒ４で配達されるチラシと、これらと同類のチラシを意味するものである。
【００２１】
図２は本発明の一実施形態である電子チラシ情報公開システムのブロック図を示したものである。同図の電子チラシ情報公開システムは、公衆通信網としてのインターネット１に接続される情報管理サーバー２と、この情報管理サーバー２が管理するデータベース３と、インターネット１を介して情報管理サーバー２にアクセス可能な情報提供端末４とを具備するシステム構成を採用している。
【００２２】
上記情報提供端末４は、チラシ類１００（図３参照）の最終到着ポイントである一般家庭の中から募集し選ばれた複数のモニター家庭（図１の（１）〜（３）参照）に設置されるようになっている。
【００２３】
ところで、一般家庭に配布されるチラシ類１００のうち、新聞折り込みチラシは地域密着型の情報媒体であるため、配布される新聞折り込みチラシの内容は新聞配達所の担当範囲ごとに異なる場合が多い。一の新聞配達所の担当範囲内では配布されるが、別の新聞配達所の担当範囲内では配布されないという新聞折り込みチラシも通常よく見られる。
【００２４】
したがって、複数の新聞配達所の担当範囲内において配布された新聞折り込みチラシの情報を漏れなく全数収集するために、本実施形態では、その新聞配達所の担当範囲ごとに、新聞折り込みチラシの情報を提供してくれるモニター家庭を募集し、該モニター家庭に情報提供端末４が設置されるシステム構成を採用するものとした。
【００２５】
上記情報提供端末４は、パソコン本体４‐１、ディスプレイ４‐２、画像取り込み手段としてのイメージスキャナ４‐３、および図示しないキーボードやマウス等から構成されるとともに、インターネット１上のＷｅｂページを閲覧するブラウザ機能や、インターネット１を介して上記情報管理サーバー２側へデータを送出するアップロード機能等、各種機能を有する。
【００２６】
上記情報提供端末４のイメージスキャナ４‐３、キーボード、マウスは、モニター家庭に配布されるチラシ類１００の情報をパソコン本体４‐１に入力するための情報入力手段として用いられる。
【００２７】
上記情報提供端末４のアップロード機能とは、イメージスキャナ４‐３、キーボード、マウス等の情報入力手段を介し入力されたチラシ類１００の情報を、インターネット１を介して上記情報管理サーバー２側へ毎日または定期的にアップロードする機能を含む。本実施形態では、より鮮度の高いチラシ類１００の情報を提供するため、アップロードの時期は毎日（特に午前中がよい。午後にはその日に配布されたチラシ類１００の情報を提供できるようにするためである。）とする。
【００２８】
図３には、情報提供端末４においてチラシ類１００の情報を入力するときの入力手順１〜３が示されている。以下、チラシ類１００の情報の具体的内容と、その情報の入力手順１〜４を順に説明する。
【００２９】
＜チラシ類の情報の具体的内容＞
チラシ類１００の情報は、▲１▼チラシ類１００全体をイメージスキャナ４‐３等の画像取り込み手段を用いて取り込んだチラシ画像１０‐５（図５参照）と、▲２▼チラシ類１００を提供する業者の業種、チラシ類のサイズ、色数、折り込み年月日、その他のチラシ関連情報とに大別される。このうち、▲１▼のチラシ画像は、インターネット１上のＷｅｂページ（後述するチラシ閲覧ページ１０）を通じて一般消費者の閲覧に供され、▲２▼のチラシ関連情報は、主としてチラシ統計データを作成する際の基礎データとして用いられる。
【００３０】
＜手順１＞
手順１においては、モニター家庭（図１の（１）〜（３）参照）に設置されている情報提供端末４のマウス等を用いてパソコン本体４‐１への基礎データ（上記▲２▼のチラシ関連情報）の入力作業を行う。
【００３１】
この際、まず、情報提供端末４のディスプレイ４‐２に情報入力画面６を表示させる。この情報入力画面６は、情報管理サーバー２が運営・管理するインターネット１上のＷｅｂページとして構成されている。したがって、この情報入力画面６はインターネット１を介して開くことができる。
【００３２】
上記情報入力画面６の中には、チラシ類１００を提供する業者の「業種」、チラシ類の「サイズ」、「色数」、「折り込み年月日」という複数の情報入力欄６‐１があり、モニター家庭ではこれらの情報入力欄６‐１に必要事項を漏れなく入力する。この入力作業は各情報入力欄６‐１のプルダウンメニュー項目の中から該当するものを選んでクリックすればよい。このようにして情報入力欄６‐１への情報入力作業が完了した後は、情報入力画面６中の登録終了ボタン６‐２をクリックする。以上が手順１での作業内容である。
【００３３】
＜手順２＞
前記手順１において登録終了ボタン６‐２がクリックされると、情報確認画面７に移行し、かつ情報入力欄６‐１の入力内容が確定し、この確定した入力内容がその情報確認画面７中に表示される。
【００３４】
このとき、確定した入力内容を修正する必要がある場合は、情報確認画面７中の修正ボタン７‐１をクリックすることにより、前の情報入力画面６に戻って入力情報の内容修正作業を行うことができる。一方、確定した入力内容を修正する必要がない場合は、情報確認画面７中の登録内容確認ボタン７‐２をクリックする。以上が手順２での作業内容である。
【００３５】
＜手順３＞
手順３においては、情報提供端末４のイメージスキャナ４‐３を用いてパソコン本体４‐１へのチラシ画像１０‐５（図５参照）の取り込み作業を行う。この際、イメージスキャナ４‐３では、チラシ類１００全体をスキャンすることによりチラシ類１００全体のイメージをチラシ画像１０‐５という画像データとして取り込む。この際、スキャン対象のチラシ類１００が両面刷りであるときは、チラシ類１００の両面をスキャンしチラシ画像として取り込むものとする。またイメージスキャナ４‐３で一度にスキャンできない大型のチラシ類についても、そのチラシ類全体のチラシ画像を取り込むために、当該チラシ類を複数の区分に分割してスキャンする。
【００３６】
＜手順４＞
イメージスキャナ４‐３によるチラシ画像１０‐５の取り込み作業が完了すると、情報提供端末４からインターネット１を介し情報管理サーバー２側へのデータのアップロードを行う。アップロードするデータは、上記手順１と手順３でパソコン本体４‐１に入力若しくは取り込んだチラシ類１００の情報、すなわち上記▲１▼のチラシ画像１０‐５と、上記▲２▼のチラシ関連情報である。
【００３７】
上記アップロードの開始方式としては各種考えられる。例えば、手順３で表示した情報確認画面７中にデータ送信ボタンを設け、このデータ送信ボタンをマウスでクリックすることにより、アップロードが開始される方式を採用することもできる。以上が手順４での作業内容である。
【００３８】
上記手順４のように上記▲１▼のチラシ画像１０‐５と上記▲２▼のチラシ関連情報を同時にアップロードしてもよいが、手順１の作業が完結した時点で上記▲２▼のチラシ関連情報だけを先にアップロードし、その後、上記手順３の作業が完了した時点で、上記▲１▼のチラシ画像１０‐５をアップロードする方式を採用することもできる。いずれのアップロード方式でも、結果的に、情報管理サーバー２は、複数の情報提供端末４側から各種チラシ類の情報として上記▲２▼チラシ画像１０‐５と上記▲１▼チラシ関連情報を受け取ることになる。
【００３９】
上記情報管理サーバー２は、複数のモニター家庭に設置されたそれぞれの情報提供端末４から毎日アップロードされるチラシ類１００の情報を受付けるとともに、この受付けた複数のチラシ類１００の情報中から各チラシ類の情報に共通する同種のデータを収集、集計してチラシ統計データを自動作成する統計機能を有している。
【００４０】
ここで、上記「同種のデータ」には、上記▲２▼のチラシ関連情報のうち、チラシ類１００を提供する業者の業種、チラシ類１００のサイズ、色数、折り込み年月日が含まれる。また、これらの同種のデータを情報管理サーバー２側へアップロードする複数のモニター家庭の所在地も、チラシ類１００の配布地域を示す地域データとして同種のデータに含まれ、かつ、情報管理サーバー２に登録、管理されている。
【００４１】
したがって、情報管理サーバー２においては、複数の情報提供端末４側から毎日アップロードされてくる上記同種のデータを基礎データとして集計することにより、業種別、曜日別、月別、地域別等の観点からチラシ類１００の配布枚数等を比較できる有用なチラシ統計データ（例えば図４の図表を参照）を自動作成することが可能である。
【００４２】
情報管理サーバー２におけるチラシ統計データの自動作成は、情報管理サーバー２が有する統計プログラム等の自動実行によるものであり、この統計プログラムの自動実行やその実行時期等は情報管理サーバー２により管理されている。
【００４３】
情報管理サーバー２で受付けたチラシ類１００の情報（チラシ画像およびチラシ関連情報）は、そのチラシ類１００の広告主または店舗所在地を示すデータと一緒に上記データベース３に蓄積される。また、同情報管理サーバー２で作成されたチラシ統計データも同データベース３に蓄積される。
【００４４】
上記のようにデータベース３に蓄積されるチラシ類の情報は、情報提供端末４側から情報管理サーバー２側にチラシ類の情報が毎日アップロードされる度にその都度、自動的に更新される。
【００４５】
ここで、データベース３に蓄積されたチラシ類１００の情報は、インターネット１を介して一般公衆が自由に閲覧しうるが、同データベース３に蓄積されたチラシ統計データは、図１に示すチラシ類１００の広告主（イ）〜（ニ）等、本システム利用契約者（会員）である特定の者のみがインターネット１を介して取得しうる。
【００４６】
図４には、データベース３に蓄積されているチラシ統計データを取得する際の手順１、２が示されている。以下、この手順１、２を順に説明する。なお、以下の説明はインターネット１への接続が可能な会員、例えば図１および図２に示す広告主（イ）の端末５（以下、会員端末という。）を用いてチラシ統計データを取得する例である。
【００４７】
＜手順１＞
手順１では、会員端末５のディスプレイ５‐２に統計データ閲覧ページ８を表示させる。この統計データ閲覧ページ８は、情報管理サーバー２が運営・管理するインターネット１上のＷｅｂページとして構成されている。したがって、この統計データ閲覧ページ８はインターネット１を介して開くことができる。
【００４８】
上記のようにして統計データ閲覧ページ８を表示した後は、同ページ８のＩＤ入力欄８‐１とパスワード入力欄８‐２にＩＤとパスワードを入力する。このＩＤとパスワードは、本システム管理者から本システム利用契約者（会員）に対し予め配布されたものであって、情報管理サーバー２において登録・管理されている。
【００４９】
ＩＤとパスワードの入力後に統計データ閲覧ページ８中のＥＮＴＥＲボタン８‐３をクリックすると、上記入力ＩＤと入力パスワードがインターネット１を介し情報管理サーバー２へ送出される。
【００５０】
ここで、情報管理サーバー２において上記入力ＩＤと入力パスワードを正しいと判断した場合には、同情報管理サーバー２側からＩＤとパスワードの送出元である会員端末５に対して統計データ閲覧ページ８の次ページ９がダウンロードされ、その会員端末５のディスプレイ５‐２に該次ページ９（手順２参照）が表示される。
【００５１】
＜手順２＞
上記次ページ９にはチラシ統計データの項目がリスト９‐１の形態で一覧表示される。本実施形態においては、（１）該当チラシの閲覧状況、（２）１世帯平均折り込み枚数、（３）月別・最大‐最小折り込み枚数の推移、（４）曜日別１世帯当たり折り込み枚数、（５）主要業種の曜日別１日平均折り込み枚数、（６）業種別折り込み枚数と構成比、（７）１２月の業種別折り込み構成比と前年同月増減、（８）サイズ別カラー別構成比、（９）地域ブロック別折り込み状況、（１０）過去の統計資料、（１１）主要業種別各種統計資料および（１２）１２月度クリッピング情報という１２項目がリスト表示されるものとした。なお、この１２項目中の「折り込み枚数」とはチラシ類の配布枚数を意味する。
【００５２】
上記チラシ統計データの項目リスト９‐１の中からいずれかの項目をクリック選択すると、このクリック選択された項目の内容に相当するチラシ統計データがデータベース３側から端末４又は５側にダウンロードされ、このダウンロードされたチラシ統計データが会員端末５のディスプレイ５‐２に表示される。
【００５３】
例えば、チラシ統計データの項目リスト９‐１において、上記（３）の項目をクリックすると、チラシ統計データとして、図４中の図表に示すような月別１世帯当たり折り込み枚数に関するチラシ統計表がダウンロード表示される。このようなチラシ統計表等は、各種形式の電子データとしてダウンロードすることもでき、その場合は、ダウンロードしたいチラシ統計データの項目をクリック選択した後、次ページ９中の統計データダウンロードボタン９‐２をクリックすればよい。
【００５４】
図５には、データベース３に蓄積されたチラシ類１００の情報を閲覧等する際の手順１〜５が示されている。以下、この手順１〜４を順に説明する。なお、以下の説明はインターネット１への接続が可能な一般消費者の端末２０（以下、一般消費者端末という。）を用いてチラシ類１００の情報を閲覧する例である。
【００５５】
＜手順１＞
手順１では、まず、一般消費者端末２０のディスプレイ２０‐２にチラシ閲覧ページ１０を表示させる。このチラシ閲覧ページ１０は、情報管理サーバー２が運営・管理するインターネット１上のＷｅｂページとして構成されている。したがって、このチラシ閲覧ページ１０はインターネット１を介して開くことができる。
【００５６】
＜手順２＞
上記手順１のチラシ閲覧ページ１０には、チラシ類１００の閲覧が可能な地域をすべてカバーする広域地図１０‐１が表示される。また、その広域地図１０‐１の近傍（左隣）には拡大範囲指定枠１０‐２が表示されており、この拡大範囲指定枠１０‐２を広域地図１０‐１の拡大したいポイントへドラッグ＆ドロップすると、その拡大範囲指定枠１０‐２内に含まれる地域の拡大マップ１０‐３が表示される。
【００５７】
＜手順３＞
上記手順２の拡大マップ１０‐３上にはチラシ類１００の広告主または店舗所在地が表示される。この広告主等の表示１０‐４をクリックすると、その広告主等を特定するデータが一般消費者端末２０からインターネット１を介し情報管理サーバー２に送出される。そうすると、この広告主等を特定するデータに基づき情報管理サーバー２がデータベース３を検索し、その検索結果として該当する広告主等のチラシ画像１０‐５がデータベース３から抽出される。そして、このようにして抽出されたチラシ画像１０‐５がインターネット１を介し一般消費者端末２０にダウンロードされるとともに、そのチラシ画像１０‐５の全体が一般消費者端末２０のディスプレイ２０‐２に表示される。
【００５８】
＜手順４＞
上記手順３においてディスプレイ２０‐２に表示されたチラシ画像１０‐５の一部を拡大したい場合は、チラシ画像１０‐５の近傍（左隣）に表示されている拡大範囲指定枠１０‐２を拡大したいポイントへドラッグ＆ドロップする。そうすると、その拡大範囲指定枠１０‐２内に含まれるチラシ画像１０‐５の部分が拡大表示される。以上の手順１〜４に従って画面操作を行えば、チラシ類１００の情報としてチラシ画像１０‐５を閲覧することができる。
【００５９】
＜手順５＞
手順５は、チラシ類１００の情報の閲覧に直接係わるものではないが、その閲覧に付随して行うことのできる行為、すなわち一般消費者端末２０のディスプレイ２０‐２にチラシ画像１０‐５として表示されたチラシ類１００に関する問い合わせを行う際の手順である。
【００６０】
チラシ類１００に関する問い合わせをする場合は、手順３または手順４の段階において、チラシ画像１０‐５の近傍（左隣）に表示されている問い合わせボタン１０‐７をクリックする。この問い合わせボタン１０‐７は一般消費者端末２０の基本機能であるメール機能にリンクしており、問い合わせボタン１０‐７のクリックによりメール送信画面１１のウインドが開く。このとき、メール送信画面１１のアドレス入力欄１１‐１には問い合わせボタン１０‐７のクリックに連動して情報管理サーバー２の電子メールアドレスが自動入力される。
【００６１】
したがって、電子メールによるチラシ類１００に関する問い合わせの電子メールは、端末４又は５からインターネット１を介し情報管理サーバー２を経由する形態で広告主等の会員端末５に送られる。そして、問い合わせのメールを送信した一般消費者端末２０側には、広告主等の会員端末５側から直接、または広告主等の会員端末５から情報管理サーバー２を経由して、問い合わせに対する回答の電子メールが返送される。
【００６２】
以上説明した通り、本実施形態のシステムによると、チラシ類１００の最終到着ポイントである一般家庭の中から選ばれた複数のモニター家庭（１）〜（３）に情報提供端末４を設置し、その情報提供端末４の情報入力手段とアップロード機能により、モニター家庭に配布されるチラシ類１００の情報がインターネット１を介して情報管理サーバー２へ毎日アップロードされる構成を採用したものである。このため、一般消費者においては、そのチラシ類１００の情報が蓄積されるデータベース３を利用することにより、居住地以外の各地一般家庭に配布されるあらゆるチラシ類１００の情報を全数漏れなくリアルタイムで閲覧することができ、価値の高いチラシ類の情報を取得することが可能となる。
【００６３】
また、本実施形態のシステムによると、上記のようにアップロードされたチラシ類１００の情報の中から同種のデータを収集、集計しチラシ統計データを作成する統計機能が情報管理サーバー２に設けられる構成を採用したものである。このため、チラシ類１００の広告主（イ）〜（ニ）においては、そのチラシ統計データが蓄積されるデータベース３を利用することにより、チラシ類１００を用いた宣伝戦略やマーケティング戦略を立てる上で重要な情報ないしはツールをリアルタイムで取得することが可能となる。
【００６４】
上記実施形態では、新聞配達所の担当範囲を１グループ単位としてチラシ類の範囲地域全体を網羅する形で複数のグループに区分し、この区分したグループ（新聞配達所の担当範囲）ごとに、少なくとも１軒のモニター家庭を設定し、該モニター家庭に情報提供端末を設置するシステム構成を採用したが、そのグループの区分については、新聞配達所の担当範囲を１グループ単位とする区分のほか、例えば、地方自治体（都道府県、市町村）や町内の班等を１グループ単位とする区分を採用してもよい。
【００６５】
都道府県の公報と一緒に一般家庭に配布され到着するチラシ類の情報だけを漏れなく収集し提供することを目的とする場合には、モニター家庭は都道府県内に１軒設ければ足りるが、町内の班内で一般家庭に配布され到着するチラシ類の情報を漏れなく収集し提供することを目的とする場合には、モニター家庭は少なくともその町内の班内に１軒設けるものとする。
【００６６】
【発明の効果】
本発明にあっては、チラシ類の最終到着ポイントである一般家庭の中から選ばれた複数のモニター家庭に情報提供端末を設置し、その情報提供端末の情報入力手段とアップロード機能により、モニター家庭に配布されるチラシ類の情報が公衆通信網を介して情報管理サーバー側へ毎日または定期的にアップロードされる構成を採用した。このため、一般消費者においては、上記チラシ類の情報が蓄積されるデータベースの利用により、居住地以外の各地一般家庭に配布されるあらゆるチラシ類の情報を漏れなく全数リアルタイムで閲覧することができ、価値の高いチラシ類の情報を取得することができる。
【００６７】
また、本発明にあっては、上記のようにアップロードされたチラシ類の情報の中から同種のデータを収集、集計しチラシ統計データを作成する統計機能が情報管理サーバーに設けられる構成を採用した。このため、チラシ類の広告主においては、当該チラシ統計データが蓄積されるデータベースの利用により、チラシ類を用いた宣伝戦略やマーケティング戦略を立てる上で重要な情報ないしはツールをリアルタイムで取得することが可能となる。
【００６８】
以上のように本発明によると、新聞折り込みチラシ等のチラシ類を見る一般消費者と、そのチラシ類の広告主との双方に有益なシステムを提供することができる。
【図面の簡単な説明】
【図１】一般家庭（後述のモニター家庭を含む。）にチラシが配布され到着するまでのチラシ流通ルートと、そのモニター家庭に到着したチラシの情報が一般消費者や本システム利用契約者（会員）に提供されるまでの本実施形態におけるチラシ情報データの流れの説明図。
【図２】本発明の一実施形態である電子チラシ情報公開システムのブロック図。
【図３】図２の情報提供端末においてチラシ類の情報を入力するときの入力手順の説明図。
【図４】図２のデータベースに蓄積されているチラシ統計データを取得する際の手順の説明図。
【図５】図２のデータベースに蓄積されているチラシ類の情報を閲覧する際の閲覧手順の説明図。
【符号の説明】
１  インターネット
２  情報管理サーバー
３  データベース
４  情報提供端末
４‐１  パソコン本体
４‐２  ディスプレイ
４‐３  イメージスキャナ
Ｒ１〜Ｒ４  チラシの流通ルート
５  会員端末
５‐２  会員端末のディスプレイ
６  情報入力画面
６‐１  情報入力欄
６‐２  登録終了ボタン
７  情報確認画面
７‐１  修正ボタン
７‐２  登録内容確認ボタン
８  統計データ閲覧ページ
８‐１  ＩＤ入力欄
８‐２  パスワード入力欄
８‐３  ＥＮＴＥＲボタン
９  統計データ閲覧ページの次ページ
９‐１  チラシ統計データの項目リスト
９‐２  統計データダウンロードボタン
１０  チラシ閲覧ページ
１０‐１  広域地図
１０‐２  拡大範囲指定枠
１０‐３  拡大マップ
１０‐４  広告主等の表示
１０‐５  チラシ画像
１０‐７  問い合わせボタン
１１  メール送信画面
１１‐１  アドレス入力欄
２０  一般消費者端末
２０‐１  一般消費者端末のディスプレイ
１００  チラシ類
【図１】
2004192454.tif 000003
【図２】
2004192454.tif 000004
【図３】
2004192454.tif 000005
【図４】
2004192454.tif 000006
【図５】
2004192454.tif 000007